【事件の表示】
　特許第３２９５４１５号「撮像装置」の請求項１、２に係る特許に対する特許異議の申立てについて、次のとおり決定する。
【結　論】
　訂正を認める。
　特許第３２９５４１５号の請求項１、２に係る特許を維持する。
【理　由】
１．手続の経緯
　本件特許第３２９５４１５号の発明は、平成９年２月３日に出願した特願平９−２０７３１号の一部を平成１２年７月２６日に新たな特許出願としたものであって、平成１４年４月５日にその特許の設定登録がなされ、その後、田村　忠一より特許異議の申立てがなされ、取消しの理由が通知され、その指定期間内である平成１５年５月６日に訂正請求がなされたものである。　
　
２．訂正の適否についての判断
（１）［訂正の内容］
　訂正請求書による訂正事項は次のとおりである。
訂正事項ａ．
　特許請求の範囲における請求項１の第３，４行に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
訂正事項ｂ．
　特許請求の範囲における請求項１の第６，７行に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つの」と訂正する。
訂正事項ｃ．
　特許請求の範囲における請求項１の第８行に記載された「駆動電流が供給されたとき」を「ムービングマグネットを有しており駆動電流が供給されたとき該ムービングマグネットを旋回させて」と訂正する。
訂正事項ｄ．
　特許請求の範囲における請求項１の第１０行に記載された「駆動電流が供給されたとき前記シャッタ羽根部材を前記第１位置と前記第２位置との間で」を「ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
訂正事項ｅ．
　特許請求の範囲における請求項１の第１２〜１４行に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のムービングマグネットを作動しないように磁気吸引力で保持する」と訂正する。
訂正事項ｆ．
　特許請求の範囲における請求項２の第３，４行に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
訂正事項ｇ．
　特許請求の範囲における請求項２の第６，７行に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つの」と訂正する。
訂正事項ｈ．
　特許請求の範囲における請求項２の第８行に記載された「駆動電流が供給されたとき」を「ムービングマグネットを有しており駆動電流が供給されたとき該ムービングマグネットを旋回させて」と訂正する。
訂正事項ｉ．
　特許請求の範囲における請求項２の第１０行に記載された「駆動電流が供給されたとき前記シャッタ羽根部材を前記第１位置と前記第２位置との間で」を「ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
訂正事項ｊ．
　特許請求の範囲における請求項２の第１２〜１４行に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のムービングマグネットを作動しないように磁気吸引力で保持する」と訂正する。
訂正事項ｋ．
　発明の詳細な説明の段落番号【０００５】の第７，８行に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
訂正事項ｌ．
　発明の詳細な説明の段落番号【０００５】の第８〜１０行に記載された「前記露出開口から待避している第１位置と前記露出開口に進入した第２位置との間で作動可能に配置されている」を「前記地板に回転可能に取り付けられており相反する方向へ回転することによって前記露出開口から待避している１位置と前記露出開口に進入した第２位置との間で作動可能な二つの」と訂正する。
訂正事項ｍ．
　発明の詳細な説明の段落番号【０００５】の第１０行に記載された「駆動電流が供給されたとき」を「ムービングマグネットを有しており駆動電流が供給されたとき該ムービングマグネットを旋回させて」と訂正する。
訂正事項ｎ．
　発明の詳細な説明の段落番号【０００５】の第１１〜１２行に記載された「駆動電流が供給されたとき前記シャッタ羽根部材を前記第１位置と前記第２位置との間で」を「ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
訂正事項ｏ．
　発明の詳細な説明の段落番号【０００５】の第１３〜１５行に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する」と訂正する。
訂正事項ｐ．
　発明の詳細な説明の段落番号【０００６】の第３，４行に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
訂正事項ｑ．
　発明の詳細な説明の段落番号【０００６】の第５，６行に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つ」と訂正する。
訂正事項ｒ．
　発明の詳細な説明の段落番号【０００６】の第６，７行に記載された「駆動電流が供給されたとき」を「ムービングマグネットを有しており駆動電流が供給されたとき該ムービングマグネットを旋回させて」と訂正する。
訂正事項ｓ．
　発明の詳細な説明の段落番号【０００６】の第８行に記載された「駆動電流が供給されたとき前記シャッタ羽根部材を前記第１位置と前記第２位置との間で」を「ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
訂正事項ｔ．
　発明の詳細な説明の段落番号【０００６】の第９〜１２行に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタに駆動電流が供給されていないとき前記シャッタ羽根駆動手段のムービングマグネットを作動しないように磁気吸引力で保持する」と訂正する。
　
（２）［訂正の範囲の適否、拡張・変更の存否］ 
　本件訂正事項ａ〜ｊは特許請求の範囲の減縮を目的とするものであり、これらの訂正事項の、シャッタ羽根部材や絞り羽根駆動部材を駆動、保持するための手段として下位概念であるムービングマグネットについて限定を付加することは、特許明細書の段落番号【０００９】〜【００１１】に記載されている。
　訂正事項ｋ〜ｔについては、特許請求の範囲における請求項１，２の記載と、発明の詳細な説明の記載との、単なる表現上の整合性を図るための訂正である。
　したがって、本件訂正事項ａ〜ｔは特許明細書に記載した事項の範囲内においてするものである。
　また、本件訂正事項ａ〜ｔは、実質上特許請求の範囲を拡張・変更するものではない。
　
（３）［結び］
　以上のとおりであるから、上記訂正は、特許法第１２０条の４第２項ただし書及び同条第３項において準用する特許法１２６条第２項から第４項までの規定に適合するので、当該訂正を認める。
　
３．特許異議の申立てについて
（１）［申立ての理由の概要］
　特許異議申立人田村　忠一は、下記甲第１、２号証を提出し、請求項１、２に係る発明の特許は、特許法第２９条第２項の規定に違反してなされたものであるから、取り消すべき旨主張している。
　甲第１号証：特開平８−２４０８３２号公報
　甲第２号証：実願平５−４４２６４号（実開平７−１４４４３号）のＣＤ−ＲＯＭ
　
（２）［本件発明］
　本件請求項１、２に係る発明（以下、「本件発明１、２」という。）は、訂正明細書の特許請求の範囲の請求項１、２に記載された事項により特定される次のとおりのものである。
　「【請求項１】
　入射光を撮像手段の撮像面に結像させる撮影光学系と，
　前記入射光の光路中に露出開口を配置している地板と，
　前記露出開口より小さな開口を有していて前記地板に回転可能に取り付けられており前記露出開口から待避している第１位置と前記露出開口に進入した第２位置との間で作動可能な絞り羽根部材と，
　前記地板に回転可能に取り付けられており相反する方向へ回転することによって前記露出開口から待避している第１位置と前記露出開口に進入した第２位置との間で作動可能な二つのシャッタ羽根部材と，
　ムービングマグネットを有しており駆動電流が供給されたとき該ムービングマグネットを旋回させて前記絞り羽根部材を前記第１位置と前記第２位置との間で作動させる絞り羽根駆動手段と，
　ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ作動させるシャッタ羽根駆動手段と，
　前記二つのシャッタ羽根部材が前記第１位置か前記第２位置にあって前記シャッタ羽根駆動手段に駆動電流が供給されていないとき前記シャッタ羽根駆動手段のムービングマグネットを作動しないように磁気吸引力で保持する保持手段と，
　被写界輝度から絞り値とシャッタ秒時とを演算しその演算結果によって前記各駆動手段への駆動電流の供給を制御すると共に電源がオンになったときには前記シャッタ羽根駆動手段によって前記シャッタ羽根部材を前記第２位置から前記第１位置へ作動させ電源がオフになったときには前記第１位置から前記第２位置へ作動させる制御手段と，を具備していて，
　前記制御手段は，前記演算結果に基づき前記絞り羽根部材の位置を決めておき，前記撮像手段に蓄積された電荷を放出させた後には，前記演算結果に基づき前記シャッタ羽根部材を第２位置へ作動させ，その後，前記シャッタ羽根部材を前記第１位置へ作動させるようにしたことを特徴とする撮像装置。
【請求項２】
　入射光を撮像手段の撮像面に結像させる撮影光学系と，
　前記入射光の光路中に露出開口を配置している地板と，
　前記露出開口より小さな開口を有していて前記地板に回転可能に取り付けられており前記露出開口から待避している第１位置と前記露出開口に進入した第２位置との間で作動可能な絞り羽根部材と，
　前記地板に回転可能に取り付けられており相反する方向へ回転することによって前記露出開口から待避している第１位置と前記露出開口に進入した第２位置との間で作動可能な二つのシャッタ羽根部材と，
　ムービングマグネットを有しており駆動電流が供給されたとき該ムービングマグネットを旋回させて前記絞り羽根部材を前記第１位置と前記第２位置との間で作動させる絞り羽根駆動手段と，
　ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ作動させるシャッタ羽根駆動手段と，
　前記二つのシャッタ羽根部材が前記第１位置か前記第２位置にあって前記シャッタ羽根駆動手段に駆動電流が供給されていないとき前記シャッタ羽根駆動手段のムービングマグネットを作動しないように磁気吸引力で保持する保持手段と，を備える撮像装置の制御方法であって，
　被写界輝度から絞り値とシャッタ秒時とを演算しその演算結果によって前記各駆動手段への駆動電流の供給を制御すると共に電源がオンになったときには前記シャッタ羽根駆動手段によって前記シャッタ羽根部材を前記第２位置から前記第１位置へ作動させ電源がオフになったときには前記第１位置から前記第２位置へ作動させ，
　前記演算結果に基づき前記絞り羽根部材の位置を決めておき，前記撮像手段に蓄積された電荷を放出させた後には，前記演算結果に基づき前記シャッタ羽根部材を第２位置へ作動させ，その後，前記シャッタ羽根部材を前記第１位置へ作動させるようにしたことを特徴とする撮像装置の制御方法。」
　
（３）［引用刊行物記載の発明］
　当審が通知した取消しの理由に引用された刊行物
　刊行物１：特開平８−２４０８３２号公報（甲第１号証）
　刊行物２：実願平５−４４２６４号（実開平７−１４４４３号）のＣＤ−ＲＯＭ（甲第２号証）
　刊行物１には、
「さらに、図６（ａ）を用いて絞り羽根によるシャッター動作シーケンスを説明する。図は横軸が時間ｔを、縦軸にホール素子の出力電圧Ｖを示す。前記図４の構成からわかるように、ホール素子の出力電圧は絞り開口量に比例しているので、縦軸は絞り開口量を表す開口面積を示していると考えてもよい。まず時刻ｔ１１において、アクチュエータ４２に絞りが全開となるだけの電圧を加えることにより、絞りを全開にする。絞りが全開になると、カメラ（撮像装置）が測光とオートフォーカスをおこなう。
【００１６】測光およびオートフォーカスが終了すると、ＣＰＵ６５は、測光データとメモリ７０に記憶されたプログラム線図より、絞り値とシャッター速度を決定し、決定された絞り値に対応した開口量をメモリ７０より読み出す。この時の開口量は、あらかじめ所定の光源を使用して求められた量が、ホール素子出力電圧Ｖの値としてメモリ６１に記憶されている。また、決められた絞りの値に対するシャッタータイミング（露光を開始した後に絞りを閉じ始めるタイミング）の補正量もメモリ７０より読みだし、シャッター速度と補正量から最適なシャッター保持時間（実質的なシャッター速度）を計算する。」（段落【００１５】、【００１６】）
が記載されている。
　刊行物２には、
　「上記の構成のモータは、コイル８に一方向への電流を流すと回転子５が一方向へ回動し、逆方向へ電流を流すと逆方向へ回動するようになっている。又、図５における符号Ａは、図６及び図７で示した回転軸５ｂの位置を示している。従って、回転軸５ｂと駆動ピン５ｃとの位置関係からも分かるように、シャッタ羽根３，４が図５に示した開き位置にあるときは、図６において回転子５は約３０度反時計方向へ回動した位置にあり、シャッタ羽根３、４の閉じ位置においては逆に約３０度時計方向へ回動した位置にある。シャッタ羽根３，４が閉じ位置にあるときは、図６において永久磁石５ａはＮ極とＳ極との境界部の位置が磁性体１０に対向し、磁性体９にはＮ極の中央部が対向している。従って、磁性体９とＮ極間に作用する最大の磁力により、回転子５は確実に保持され、シャッタ羽根３，４は駆動ピン５ｃにより閉じ位置を維持している。シャッタ羽根３，４が開き位置にあるときはＮ極とＳ極との境界部の位置が磁性体９に対向し、磁性体１０にはＳ極の中央部が対向している。従って、回転子５は確実に保持され、シャッタ羽根３，４は開き位置を維持している。このようにして、シャッタ羽根３，４が閉じ位置に確実に保持されることにより、カメラの不使用時における不慮の漏光を防止することができ、またシャッタ羽根３，４が開き位置で確実に保持されることにより開き位置でのバウンドを抑制でき、更にバルブ撮影を行う場合には、コイル８への通電を断った状態で全開位置を保てるようになっている。」（段落【０００３】）
が記載されている。
　
（４）［対比・判断］
［本件発明１について］
　本件発明１と刊行物１記載の発明とを対比すると、刊行物１記載の発明は、本件発明１が具備する「二つのシャッタ羽根部材が前記第１位置か前記第２位置にあって前記シャッタ羽根駆動手段に駆動電流が供給されていないとき前記シャッタ羽根駆動手段のムービングマグネットを作動しないように磁気吸引力で保持する保持手段」および「電源がオンになったときには前記シャッタ羽根駆動手段によって前記シャッタ羽根部材を前記第２位置から前記第１位置へ作動させ電源がオフになったときには前記第１位置から前記第２位置へ作動させる制御手段」という構成を具備していない。
　また、かかる点は、前記刊行物２に記載も示唆もなされていない。
　しかも本件発明１は、前記構成を有することで、明細書記載の「シャッタ羽根部材が露出開口から待避した第１位置にあるときにも，露出開口内に進入した第２位置にあるときにも，シャッタ羽根駆動手段を保持しておくために電力消費が生じないので，電源のオフ時にはシャッタ羽根部材を第２位置で保持することにより撮像手段の保護を図り，電源のオン時にレリーズスイッチが操作されるのを待機している状態ではシャッタ羽根部材を第１位置で保持することにより液晶ファインダ等の使用を可能となし」といった顕著な効果を奏するものと認められる。
　してみると、本件発明１は、刊行物１、２に記載された発明に基づき当業者が容易に発明することができたものとは認められない。
　したがって、本件発明１の特許は、特許法第２９条第２項の規定に違反してなされたものではない。
　
［本件発明２について］
　本件発明２は、［本件発明１について］において摘示した本件発明１の構成要件を全て含んでいるから、本件発明１について説示したのと同様の理由により、本件発明２は、刊行物１、２に記載された発明に基づき当業者が容易に発明することができたものとは認められない。
　したがって、本件発明２の特許は、特許法第２９条第２項の規定に違反してなされたものではない。
　
（５）［結び］
　したがって、特許異議申立ての理由および証拠によっては、本件発明についての特許を取り消すことはできない。
　また、他に本件発明についての特許を取り消すべき理由を発見しない。
　よって、結論のとおり決定する。
【異議決定日】
平成１５年６月１７日（２００３．６．１７）
【訂正の要旨】
ａ．特許請求の範囲における請求項１の第３，４行（特許公報では第４〜６行）に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
ｂ．特許請求の範囲における請求項１の第６，７行（特許公報では第６〜８行）に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つの」と訂正する。
ｃ．特許請求の範囲における請求項１の第８行（特許公報では第８，９行）に記載された「駆動電流が供給されたとき」を「ムービングマグネットを有しており駆動電流が供給されたとき該ムービングマグネットを旋回させて」と訂正する。
ｄ．特許請求の範囲における請求項１の第１０行（特許公報では第１０，１１行）に記載された「駆動電流が供給されたとき前記シャッタ羽根部材を前記第１位置と前記第２位置との間で」を「ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
ｅ．特許請求の範囲における請求項１の第１２〜１４行（特許公報では第１３〜１６行）に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する」と訂正する。
ｆ．特許請求の範囲における請求項２の第３，４行（特許公報では第４〜６行）に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
ｇ．特許請求の範囲における請求項２の第６，７行（特許公報では第６〜８行）に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つの」と訂正する。
ｈ．特許請求の範囲における請求項２の第８行（特許公報では第８，９行）に記載された「駆動電流が供給されたとき」を「ムービングマグネットを有しており駆動電流が供給されたとき前記ムービングマグネットを旋回させて」と訂正する。
ｉ．特許請求の範囲における請求項２の第１０行（特許公報では第１０，１１行）に記載された「駆動電流が供給されたとき前記シャッタ羽根部材を前記第１位置と前記第２位置との間で」を「ムービングマグネットを有しており駆動電流が供給されたとき前記ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
ｊ．特許請求の範囲における請求項２の第１２〜１４行（特許公報では第１３〜１６行）に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する」と訂正する。
ｋ．発明の詳細な説明の段落番号【０００５】の第７，８行（特許公報では第８〜１０行）に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
ｌ．発明の詳細な説明の段落番号【０００５】の第８〜１０行（特許公報では第１１〜１３行）に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つの」と訂正する。
ｍ．発明の詳細な説明の段落番号【０００５】の第１０行（特許公報では第１３，１４行）に記載された「駆動電流が供給されたとき」を「ムービングマグネットを有しており駆動電流が供給されたとき前記ムービングマグネットを旋回させて」と訂正する。
ｎ．発明の詳細な説明の段落番号【０００５】の第１１〜１２行（特許公報では第１５，１６行）に記載された「駆動電流が供給されたとき前記シャッタ羽根部材を前記第１位置と前記第２位置との間で」を「ムービングマグネットを有しており駆動電流が供給されたとき前記ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
ｏ．発明の詳細な説明の段落番号【０００５】の第１３〜１５行（特許公報では第１７〜２１行）に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する」と訂正する。
ｐ．発明の詳細な説明の段落番号【０００６】の第３，４行（特許公報では第４〜６行）に記載された「前記露出開口から待避している第１位置と前記露出開口に進入した第２位置との間で作動可能に配置されている」を「前記地板に回転可能に取り付けられており前記露出開口から待避している第１位置と前記露出開口に進入した第２位置との間で作動可能な」と訂正する。
ｑ．発明の詳細な説明の段落番号【０００６】の第５，６行（特許公報では第７〜９行）に記載された「前記露出開口から待避している第１位置と前記露出開口に進入した第２位置との間で作動可能に配置されている」を「前記地板に回転可能に取り付けられており相反する方向へ回転することによって前記露出開口から待避している第１位置と前記露出開口に進入した第２位置との間で作動可能な二つの」と訂正する。
ｒ．発明の詳細な説明の段落番号【０００６】の第６，７行（特許公報では第９，１０行）に記載された「駆動電流が供給されたとき」を「ムービングマグネットを有しており駆動電流が供給されたとき前記ムービングマグネットを旋回させて」と訂正する。
ｓ．発明の詳細な説明の段落番号【０００６】の第８行（特許公報では第１１，１２行）に記載された「駆動電流が供給されたとき前記シャッタ羽根部材を前記第１位置と前記第２位置との間で」を「ムービングマグネットを有しており駆動電流が供給されたとき前記ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ」と訂正する。
ｔ．発明の詳細な説明の段落番号【０００６】の第９〜１２行（特許公報では第１３〜１７行）に記載された「前記シャッタ羽根部材が前記第１位置か前記第２位置にあって前記シャッタ羽根駆動手段に駆動電流が供給されていないとき前記シャッタ羽根駆動手段を作動しないように保持しておく」を「前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する」と訂正する。
（５４）【発明の名称】
撮像装置
（５７）【特許請求の範囲】
　【請求項１】　入射光を撮像手段の撮像面に結像させる撮影光学系と，
　前記入射光の光路中に露出開口を配置している地板と，
　前記露出開口より小さな開口を有していて
前記地板に回転可能に取り付けられており前記露出開口から待避している第１位置と前記露出開口に進入した第２位置との間で作動可能な
　
前記地板に回転可能に取り付けられており相反する方向へ回転することによって前記露出開口から待避している第１位置と前記露出開口に進入した第２位置との間で作動可能な二つの
　
ムービングマグネットを有しており駆動電流が供給されたとき該ムービングマグネットを旋回させて
　
ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ
　
前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する
　被写界輝度から絞り値とシャッタ秒時とを演算しその演算結果によって前記各駆動手段への駆動電流の供給を制御すると共に電源がオンになったときには前記シャッタ羽根駆動手段によって前記シャッタ羽根部材を前記第２位置から前記第１位置へ作動させ電源がオフになったときには前記第１位置から前記第２位置へ作動させる制御手段と，
を具備していて，
　前記制御手段は，前記演算結果に基づき前記絞り羽根部材の位置を決めておき，前記撮像手段に蓄積された電荷を放出させた後には，前記演算結果に基づき前記シャッタ羽根部材を第２位置へ作動させ，その後，前記シャッタ羽根部材を前記第１位置へ作動させるようにしたことを特徴とする撮像装置。
　【請求項２】　入射光を撮像手段の撮像面に結像させる撮影光学系と，
　前記入射光の光路中に露出開口を配置している地板と，
　前記露出開口より小さな開口を有していて
前記地板に回転可能に取り付けられており前記露出開口から待避している第１位置と前記露出開口に進入した第２位置との間で作動可能な
　
前記地板に回転可能に取り付けられており相反する方向へ回転することによって前記露出開口から待避している第１位置と前記露出開口に進入した第２位置との間で作動可能な二つの
　
ムービングマグネットを有しており駆動電流が供給されたとき該ムービングマグネットを旋回させて
　
ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ
　
前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する
を備える撮像装置の制御方法であって，
　被写界輝度から絞り値とシャッタ秒時とを演算しその演算結果によって前記各駆動手段への駆動電流の供給を制御すると共に電源がオンになったときには前記シャッタ羽根駆動手段によって前記シャッタ羽根部材を前記第２位置から前記第１位置へ作動させ電源がオフになったときには前記第１位置から前記第２位置へ作動させ，
　前記演算結果に基づき前記絞り羽根部材の位置を決めておき，前記撮像手段に蓄積された電荷を放出させた後には，前記演算結果に基づき前記シャッタ羽根部材を第２位置へ作動させ，その後，前記シャッタ羽根部材を前記第１位置へ作動させるようにした
ことを特徴とする撮像装置の制御方法。
【発明の詳細な説明】
　【０００１】
　【発明の属する技術分野】
　本発明は撮像装置に関し，より詳細には所謂電子スチルカメラの様に被写体像を光電変換して静止画像得る撮像装置に関する。
　【０００２】
　【従来の技術】
　近年被写体像を光電変換して静止画像を得る様にした撮像装置が所謂銀塩フィルムカメラとともにスチルカメラの１分野として普及しつつある。この種の撮像装置における露出制御としては，撮像手段のオンからオフ迄の時間を制御することによって露出秒時を制御する様にしたものも知られているが，動的な被写体を撮影する場合にはインタレースの影響で奇数ラインと偶数ラインとで時間的なズレが生じ，被写体の外形にギザギザが生じるという問題がある。又，最近ではこの様な問題を解決するためにノンインタレースでフルフレーム画像を出力できる様にした撮像素子も普及しつつあるが，ノンインタレースで画素数を多くした場合には素子自体が非常に高価なものとなるので，画像データの取込中に撮像素子を被写界光から遮蔽するためにシャッタ装置を備えたいという要望がある。又，スチル型の所謂電子カメラやデジタルビデオカメラの場合，銀塩フィルムカメラの様に現像所での露光補正が期待できず，露出許容度も銀塩フィルムよりも狭いので，絞り口径とシャッタ秒時は単独で制御したいという要望がある。銀塩フィルムカメラの場合には単独のアクチュエータを絞り羽根とシャッタ羽根の駆動源として兼用する様にしたものが広く普及している。この様な機構は一般的にはアクチュエータの作動の第１段階で絞り機構を目的の位置迄駆動してラチェット等のラッチ機構によって絞り機構を係止した後にアクチュエータの作動の第２段階でシャッタ機構を開閉駆動する様になされている。
　【０００３】
　【発明が解決しようとする課題】
　しかしながら，所謂電子スチルカメラは撮像素子面積が一般的な３５ミリフィルムや新規格フィルム等の銀塩フィルムよりも格段に狭いのでレンズ鏡胴周囲を小型化する一方でレンズ口径のみは大口径を維持したいという要望が強く，羽根駆動機構の実装スペースが狭小化する傾向にあり，上述の様に単独のアクチュエータを絞り機構とシャッタ機構の駆動源として兼用する場合には，動力の伝達系が複雑になるとともに絞り機構を係止する係止機構や係止解除機構も設けなければならないため，実装が困難となるという問題もある。
　【０００４】
　この問題を解決するためには，絞り機構とシャッタ機構双方に独立したアクチュエータを設けるとともに，各々の羽根を各々のアクチュエータでダイレクト駆動することが有効である。ところで，電子カメラの場合，カメラの非使用時には撮像手段を被写界光から保護するためにはシャッタ羽根を閉鎖状態にする所謂ノーマルクローズタイプが望ましい一方で電源の投入時には例えば液晶ファインダ等のモニタ装置に被写体像を写し出すためにシャッタをオープン状態で維持したいという要望があるが，電源の投入時にシャッタ羽根を開口位置で維持するために電流を供給し続けた場合，電源の消耗が著しいという問題が生じる。特に，電子カメラの場合，銀塩フィルムカメラと比較してカメラサイズが小型化されるとともにファインダの表示や画像記録等にも電力を消費するので，電源の消耗を極力抑制したいという要望が強い。
　【０００５】
　【課題を解決するための手段】
　本発明はこの様な問題点に鑑みてなされたものであり，シャッタ周辺を小型化でき，撮像素子の保護と液晶ファインダの表示を可能としながら電力消費の少ない撮像装置を提供することを目的とする。要約すれば，本発明の請求項１に係る撮像装置は：入射光を撮像手段の撮像面に結像させる撮影光学系と：前記入射光の光路中に露出開口を配置している地板と：前記露出開口より小さな開口を有していて
前記地板に回転可能に取り付けられており前記露出開口から待避している第１位置と前記露出開口に進入した第２位置との間で作動可能な
前記地板に回転可能に取り付けられており相反する方向へ回転することによって前記露出開口から待避している第１位置と前記露出開口に進入した第２位置との間で作動可能な二つの
ムービングマグネットを有しており駆動電流が供給されたとき該ムービングマグネットを旋回させて
ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ
前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する
　【０００６】
　また、請求項２に係る撮像装置の制御方法は：入射光を撮像手段の撮像面に結像させる撮影光学系と：前記入射光の光路中に露出開口を配置している地板と：前記露出開口より小さな開口を有していて
前記地板に回転可能に取り付けられており前記露出開口から待避している第１位置と前記露出開口に進入した第２位置との間で作動可能な
前記地板に回転可能に取り付けられており相反する方向へ回転することによって前記露出開口から待避している第１位置と前記露出開口に進入した第２位置との間で作動可能な二つの
ムービングマグネットを有しており駆動電流が供給されたとき該ムービングマグネットを旋回させて
ムービングマグネットを有しており駆動電流が供給されたとき該ムービングマグネットを旋回させて前記二つのシャッタ羽根部材を前記第１位置と前記第２位置との間で作動させ撮影の終了段階においては前記二つのシャッタ羽根部材を前記第１位置から前記第２位置へ
前記二つのシャッタ羽根部材が前記第１位置か前記第２位置にあって前記シャッタ羽根駆動手段に駆動電流が供給されていないとき前記シャッタ羽根駆動手段のム−ビングマグネットを作動しないように磁気吸引力で保持する
　【０００７】
　即ち，本発明によれば，シャッタ羽根部材を，露出開口中に進入させておくことによって，不使用時における撮像手段の保護がなされるとともに撮像手段の画素数の増加も容易に行え，しかも，非通電時においては，シャッタ羽根部材が，露出開口から待避した状態或いは露出開口内に進入した状態で，シャッタ羽根駆動手段が保持手段によって保持されるようになっているので，無駄な電力消費が抑制される。
　【０００８】
　【発明の実施の形態】
　以下図面を参照して本発明の１実施形態を説明する。図１は本発明の撮像装置がカメラ本体側の電源がオフした状態を示す平面図であり，図２はムービングマグネットの周辺を示す断面図である。図中１は上地板，２は中地板，３は下地板であり，図１においては上地板１，中地板２，下地板３は同一の一点鎖線で仮想的に示している。これらの地板類の中央部分には撮像光路を形成する露出開口ＡＰが形成されている。４，５は露出開口ＡＰを開閉するシャッタ羽根であり，シャッタ羽根４，５は上地板１の裏面に植設されたピン１ａ，１ｂに対して各々揺動自在に支持されている。尚，本実施例に示すシャッタ羽根４，５はアパーチュア形成縁は有しておらず，不使用時には露出開口ＡＰを遮蔽した状態にある。
　【０００９】
　次に，６はシャッタ羽根４，５を開閉駆動するためのムービングマグネットであり，図２は断面を，図３は図１に示す平面を拡大して各々示している。尚，ムービングマグネット６の構成要素の符号は図１には特に示さないが，図２及び図３を参照すれば理解される。ムービングマグネット６は円筒状のケーシング６ａの内法にコイル枠６ｂが固着されており，コイル枠６ｂの長手方向に沿って図３に示す様にコイル６ｃが捲着されている。コイル枠６ｂの内側に設けられた軸６ｄには２極のマグネット６ｅが回転可能に支持され，マグネット６ｅの外側に突出形成された出力ピン６ｆは上地板１及び中地板２を貫通してシャッタ羽根４，５に各々形成された長孔４ａ，５ａ（図１参照）と各々係合している。
　【００１０】
　出力ピン６ｆの作動範囲は上地板１に植設された例えば鉄等の強磁性体で形成されたピン１ｃ，１ｄによって規制されている。初期状態では出力ピン６ｆはピン１ｃを磁着して図１や図３に示す状態で保持されているが，この状態でコイル６ｃに正のパルス電流を供給するとコイル枠６ｂの周辺には図３において上側がＮ極になる磁界が形成され，マグネット６ｅは軸６ｄを中心に反時計廻り回転し，出力ピン６ｆがピン１ｄに当接して停止する。そして出力ピン６ｆはピン１ｄを磁着するので，正のパルス電流の供給を遮断しても，出力ピン６ｆはピン１ｄを磁着した状態で保持される。又，出力ピン６ｆがピン１ｄを磁着した状態からコイル６ｃに対して負のパルス電流を供給するとコイル枠６ｂの周辺には図３において下側がＮ極になる磁界が形成されるので，マグネット６ｅは軸６ｄを中心に時計廻り回転し，出力ピン６ｆがピン１ｃに当接して停止する。そして出力ピン６ｆはピン１ｃを磁着するので，負のパルス電流の供給を遮断しても，出力ピン６ｆはピン１ｃを磁着した状態で保持される。
　【００１１】
　本実施形態は大中小の三種類の口径制御を行う様にしたものを想定しており，露出開口ＡＰの全開状態が大口径に相当する。又，中口径及び小口径は絞り羽根７又は８を露出開口ＡＰに各々進入させることによって得ている。先ず，中口径に対応した絞り羽根７は上地板１に植設されたピン１ｅに揺動自在に支持されており，絞り羽根７の先端部分には中口径に相当する開口７ａが形成されている。又，９は絞り羽根７を旋回させるための駆動源となるムービングマグネットであり，ムービングマグネット９の構成は既に説明したムービングマグネット６と基本的に同様であり，出力ピン９ｆが絞り羽根７に形成された長孔７ｂと係合している。尚，本実施形態においては，ムービングマグネット９は，正のパルス電流を供給することによって出力ピン９ｆが強磁性体のピン１ｆに当接するまで軸９ｄを中心に時計廻りに回転し，負のパルス電流を供給することによって強磁性体のピン１ｇに当接するまで軸９ｄを中心に反時計廻りに回転する。又，絞り羽根７に形成された開口７ａはムービングマグネット９の出力ピン９ｆがピン１ｆに当接した状態の時に開口７ａと露出開口ＡＰが概ね同心円になる。
　【００１２】
　次に，小口径に対応した絞り羽根８は上地板１に植設されたピン１ｈに揺動自在に支持されており，絞り羽根８の先端部分には小口径に相当する開口８ａが形成されている。又，１０は絞り羽根８を旋回させるための駆動源となるムービングマグネットであり，ムービングマグネット１０の構成も既に説明したムービングマグネット６と基本的に同様であり，出力ピン１０ｆが絞り羽根８に形成された長孔８ｂと係合している。尚，本実施形態においては，ムービングマグネット１０は，正のパルス電流を供給することによって出力ピン１０ｆが強磁性体のピン１ｉに当接するまで軸１０ｄを中心に時計廻りに回転し，負のパルス電流を供給することによって強磁性体のピン１ｊに当接するまで軸１０ｄを中心に反時計廻りに回転する。又，絞り羽根８に形成された開口８ａはムービングマグネット１０の出力ピン１０ｆがピン１ｉに当接した状態の時に開口８ａと露出開口ＡＰが概ね同心円になる。
　【００１３】
　次に，図４は本実施形態の制御系のブロック図であり，４，５は既述のシャッタ羽根４，５を示し，７，８は既述の絞り羽根７，８を示し，６，９，１０は既述のムービングマグネット６，９，１０を各々示している。又，１１は撮影用のレンズ，１２は撮像手段たるＣＣＤ，１３はＣＣＤ１２から出力された画像信号の記憶処理等を行う画像信号処理回路，１４はシャッタレリーズスイッチ，１５はメインスイッチ，１６はマイクロコンピュータを各々示す。又，１７はシャッタ駆動用のムービングマグネット６に駆動信号を供給するシャッタ駆動回路，１８は絞り駆動用のムービングマグネット９及びムービングマグネット１０に駆動信号を供給する絞り駆動回路，１９はＣＣＤ１２の電荷蓄積及び電荷放出を制御する電子シャッタ制御回路を各々示す。
　【００１４】
　次に，上記事項，図５のフローチャート，図６のタイムチャート，図７及び図８の状態変化を示す平面図を参照して本実施形態の動作を詳細に説明する。先ず，初期状態において機構は図１に示す状態にある。メインスイッチ１５がオンすることによりプログラムはスタートし，マイクロコンピュータ１６は電子シャッタ制御回路１９を制御してＣＣＤ１２を作動開始させるとともにシャッタ駆動回路１７を制御してムービングマグネット６に対して正のパルス電流を供給させる。（ステップＳ２，Ｓ３）
　【００１５】
　ムービングマグネット６に対して正のパルス電流が供給されることによって出力ピン６ｆは軸６ｄを中心にしてピン１ｄに当接するまで反時計廻りに回転する。そして，出力ピン６ｆがピン１ｄに当接すると出力ピン６ｆはピン１ｄを磁着するので，正のパルス電流が立ち下がった後の非通電状態でも出力ピン６ｆの位置は保持される。この様にして図１に示す状態から出力ピン６ｆが反時計廻りに回転すると，ピン６ｆは長孔４ａ，５ａを各々係合しているので，シャッタ羽根４は軸１ａを中心に左旋し，シャッタ羽根５は軸１ｂを中心に右旋して露出開口ＡＰを開口する。尚，図７及び図８はシャッタ羽根４，５が露出開口ＡＰを開口した状態を示している。
　【００１６】
　さて，ＣＣＤ１２は既に作動を開始しているので，上記の様にしてシャッタ羽根４，５が露出開口ＡＰを開口してＣＣＤ１２が被写界光に露呈されると，ＣＣＤ１２の出力はマイクロコンピュータ１６に加えられる。そしてマイクロコンピュータ１６はＣＣＤ１２の出力によって被写界輝度を測定し，適正な絞り値とシャッタ秒時を算出し，レリーズスイッチ１４がオンするのを待つ（ステップＳ４）。そしてレリーズスイッチ１４がオンするとステップＳ４で算出した絞り値に応じて処理を分岐する（ステップ９）。
　【００１７】
　使用される絞り値が中絞りの時にはマイクロコンピュータ１６は絞り駆動回路１８を制御してムービングマグネット９に正のパルス電流を供給し（ステップＳ１０），ムービングマグネット９は出力ピン９ｆが軸９ｂを中心にピン１ｆに当接するまで右旋し，ピン１ｆを磁着するので，正のパルス電流が立ち下がった非通電状態でも右旋位置を保持する。そして，ムービングマグネット９の右旋動作に伴って絞り羽根７も軸１ｅを中心に右旋して開口７ａが露出開口ＡＰを中絞りまで絞り込む。尚，図７はこの様にして開口７ａが露出開口ＡＰを中絞りまで絞り込んだ状態を示している。又，使用される絞り値が小絞りの時にはマイクロコンピュータ１６は絞り駆動回路１８を制御してムービングマグネット１０に正のパルス電流を供給し（ステップＳ１１），ムービングマグネット１０は出力ピン１０ｆが軸１０ｄを中心にピン１ｉに当接するまで右旋し，ピン１ｉを磁着するので，正のパルス電流が立ち下がった非通電状態でも右旋位置を保持する。そして，ムービングマグネット１０の右旋動作に伴って絞り羽根８も軸１ｈを中心に右旋して開口８ａが露出開口ＡＰを小絞りまで絞り込む。尚，図８はこの様にして開口８ａが露出開口ＡＰを小絞りまで絞り込んだ状態を示している。更に，使用される絞り値が大絞りの場合には，口径の絞り込み動作はなされず，直ちにステップＳ１２に移行する。即ち，この場合には露出開口ＡＰの口径がそのままで絞り値になる。
　【００１８】
　この様にして口径値が定まるとマイクロコンピュータ１６は電子シャッタ制御回路１９を制御してＣＣＤ１２の蓄積電荷を放出させる（ステップＳ１２）。そしてＣＣＤ１２は放電動作が完了した時点から再度電荷の蓄積を開始し，従って，このタイミングが有効露出秒時の開始タイミングになる。適正な露出秒時はステップＳ４で既に算出されているので，マイクロコンピュータ１６はステップＳ１２でＣＣＤ１２の蓄積電荷を放出した後にステップＳ４で算出された露出秒時が経過するとシャッタ駆動回路１７を制御してムービングマグネット６に負のパルス電流を供給する（ステップＳ１４）。ムービングマグネット６に対して負のパルス電流が供給されることによって主力ピン６ｆは軸６ｄを中心にしてピン１ｃに当接するまで時計廻りに回転する。そして，出力ピン６ｆがピン１ｃに当接すると出力ピン６ｆはピン１ｃを磁着するので，負のパルス電流が立ち下がった後の非通電状態でも出力ピン６ｆの位置は保持される。この様にして図７又は図８に示す状態から出力ピン６ｆが時計廻りに回転すると，シャッタ羽根４が軸１ａを中心に左旋するとともにシャッタ羽根５が軸１ｂを中心に右旋して露出開口ＡＰを遮蔽する。従って，開口径が露出開口ＡＰで定まる大口径撮影の場合には図６におけるハッチング部分ＡＢＣの合計面積が有効露光量に相当し，開口径が絞り羽根７の開口７ａで定まる中口径撮影の場合には図６におけるハッチング部分ＢＣの合計面積が有効露光量に相当し，開口径が絞り羽根８の開口８ａで定まる小口径撮影の場合には図６におけるハッチング部分Ｃの面積が有効露光量に相当することになる。
　【００１９】
　この様にしてシャッタ羽根４，５が露出開口ＡＰを遮蔽するとマイクロコンピュータ１６は画像信号処理回路１３を制御してＣＣＤ１２の出力を取り込ませ（ステップＳ１５），画像信号処理回路１３は画像信号を例えば外部のメモリカード等の記憶装置に書き込み一回の撮影動作を完了する。この様にして一回の撮影動作が完了するとマイクロコンピュータ１６は次の様にして次駒の撮影に備える。即ち，マイクロコンピュータ１６はステップＳ１６で絞り羽根７又は８を使用したか否かを判別する。そして，絞り羽根７が使用されていればムービングマグネット９に，又，絞り羽根８が使用されていればムービングマグネット１０に各々負のパルス電流を加えて，絞り羽根７又は絞り羽根８を各々図１に示す初期状態に復帰させた後に（ステップＳ１７），ステップＳ３に復帰してシャッタ羽根４，５を開口させてステップＳ８でレリーズスイッチ１４がオンするのを待機する。尚，ムービングマグネット９や１０は負のパルス電流の停止後も出力ピン９ｆ，１０ｆとピン１ｇ，１ｊとの間の磁着力によって図１の状態を保持することはいうまでもない。又，この様にしてレリーズスイッチ１４がオンするのを待機している間に電源スイッチ１５がオフしたことをステップＳ５で検出するとステップＳ６でシャッタ駆動回路１７を制御してムービングマグネット６に負のパルス電流を加え，シャッタ羽根４，５を閉鎖駆動して露出動作を終了する。尚，電源スイッチ１５がオフした後の制御動作は例えば図外のキャパシタ等の容量回路から電源供給されて実行される。
　【００２０】
　【発明の効果】
　以上説明した様に本発明によれば，シャッタ羽根部材が露出開口から待避した第１位置にあるときにも，露出開口内に進入した第２位置にあるときにも，シャッタ羽根駆動手段を保持しておくために電力消費が生じないので，電源のオフ時にはシャッタ羽根部材を第２位置で保持することにより撮像手段の保護を図り，電源のオン時にレリーズスイッチが操作されるのを待機している状態ではシャッタ羽根部材を第１位置で保持することにより液晶ファインダ等の使用を可能となし，更にシャッタ羽根部材を第１位置から第２位置に駆動することにより露出開口を閉じて露出動作を終了させることが出来，画素数の増大にも有効に対応することが可能になる。そして，シャッタ羽根部材の駆動に伴う電力消費は各々の位置を反転するときにだけ生じるので，液晶ファインダ駆動や画像データの書込など電力消費の大きな電子スチルカメラ等の撮像装置においては、全体としての電力消費を減少させることが出来，撮影可能コマ数を増大させることが可能となる。
【図面の簡単な説明】
　【図１】
　本発明の実施例に係る撮像装置の初期状態における平面図。
　【図２】
　図１に示すムービングマグネット６の断面図．
　【図３】
　図１に示すムービングマグネット６の拡大平面図。
　【図４】
　本発明の実施例に係る撮像装置の制御系のブロック図。
　【図５】
　図４に示す制御系の制御動作示すフローチャート。
　【図６】
　図４に示す制御系の動作タイミングを示すタイムチャート。
　【図７】
　図１に示す実施例を中絞り状態にした平面図。
　【図８】
　図１に示す実施例を小絞り状態にした平面図。
　【符号の説明】
　１　上地板
　１ｃ，１ｄ，１ｆ，１ｇ，１ｉ，１ｊ　ピン
　４，５　シャッタ羽根
　６　ムービングマグネット
　６ｆ　出力ピン
　７　中絞り用絞り羽根
　７ａ　開口
　８　小絞り用絞り羽根
　８ａ　開口
　９　ムービングマグネット
　９ｆ　出力ピン
　１０　ムービングマグネット
　１０ｆ　出力ピン
　１１　レンズ
　１２　ＣＣＤ
　１６　マイクロコンピュータ
　ＡＰ　露出開口